【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、前記方法が、
時分割複信(TDD)キャリアを利用して下位エンティティによってアップリンク確認応答(ACK)送信が送信されるための構成可能な遅延を決定するステップであって、前記TDDキャリアは、複数のサブフレームを備え、前記構成可能な遅延は、前記アップリンクACKを送信する前に、前記下位エンティティがダウンリンクデータパケットを処理するために利用可能な所定の時間量に対応する、ステップと、
第1のサブフレームの間に制御チャネル送信を利用して、前記構成可能な遅延を前記下位エンティティへ送信するステップと、
前記第1のサブフレームの間に前記ダウンリンクデータパケットを前記下位エンティティへ送信するステップと、
前記構成可能な遅延に従って第2のサブフレームの間に前記下位エンティティから前記アップリンクACKを受信するステップと
を備える、方法。
【請求項２】
前記構成可能な遅延を決定する前記ステップが、2つ以上の下位エンティティに対する異なる遅延をそれぞれ決定するステップを備える、請求項1に記載の方法。
【請求項３】
前記第1のサブフレームおよび前記第2のサブフレームが、1つまたは複数のサブフレームによって分離される、請求項1に記載の方法。
【請求項４】
前記第1のサブフレームおよび前記第2のサブフレームが同じサブフレームである、請求項1に記載の方法。
【請求項５】
ワイヤレス通信の方法であって、前記方法が、
時分割複信(TDD)キャリアを利用してスケジューリングエンティティによって制御情報送信が送信されるための構成可能な遅延を決定するステップであって、前記TDDキャリアは、複数のサブフレームを備え、前記構成可能な遅延は、第2のサブフレームの中で前記制御情報送信を送信する前に、前記スケジューリングエンティティが第1のサブフレームのデータパケットを処理するために利用可能な所定の時間量に対応する、ステップと、
前記構成可能な遅延に従って前記第2のサブフレームの間に前記制御情報送信を下位エンティティへ送信するステップと
を備える、方法。
【請求項６】
前記制御情報送信がダウンリンク確認応答(ACK)を備え、前記データパケットがアップリンクデータパケットを備え、前記方法が、
前記第1のサブフレームの間に下位エンティティから前記アップリンクデータパケットを受信するステップと、
前記構成可能な遅延に対応する時間期間の間に、前記受信されたアップリンクデータパケットを処理するとともに前記ダウンリンクACKの内容を決定するステップと、
前記構成可能な遅延に従って前記第2のサブフレームの間に前記ダウンリンクACKを送信するステップと
をさらに備える、請求項5に記載の方法。
【請求項７】
前記制御情報送信が、下位エンティティ用のスケジューリング情報を備え、前記データパケットが、前記下位エンティティを含む下位エンティティのセットから受信された制御情報を備え、前記方法が、
前記第1のサブフレームの間に共通アップリンクバーストの中で下位エンティティの前記セットから前記制御情報を受信するステップと、
前記構成可能な遅延に対応する時間期間の間に、前記受信された制御情報を処理するとともに前記受信された制御情報に基づいて前記下位エンティティの前記スケジューリング情報を決定するステップと、
前記構成可能な遅延に従って前記第2のサブフレームの間に前記スケジューリング情報を前記下位エンティティへ送信するステップと
をさらに備える、請求項5に記載の方法。
【請求項８】
ワイヤレス通信の方法であって、前記方法が、
下位エンティティが時分割複信(TDD)キャリアを利用するためのリソースの許可または割当てを適用するための構成可能な遅延を決定するステップであって、前記TDDキャリアは、複数のサブフレームを備え、前記構成可能な遅延は、許可済みまたは割当て済みの前記リソースを利用するようにトランシーバを構成する前に、前記下位エンティティが前記許可または割当てを処理するために利用可能な所定の時間量に対応する、ステップと、
制御チャネル送信を利用して、前記構成可能な遅延を前記下位エンティティへ送信するステップと、
第1のサブフレームの間にリソースの前記許可または割当てを前記下位エンティティへ送信するステップと、
前記構成可能な遅延に従って第2のサブフレームの間に許可済みまたは割当て済みの前記リソースを利用して前記下位エンティティと通信するステップと
を備える、方法。
【請求項９】
前記構成可能な遅延を決定する前記ステップが、2つ以上の下位エンティティに対する異なる遅延をそれぞれ決定するステップを備える、請求項8に記載の方法。
【請求項１０】
前記第1のサブフレームおよび前記第2のサブフレームが、1つまたは複数のサブフレームによって分離される、請求項8に記載の方法。
【請求項１１】
前記第1のサブフレームおよび前記第2のサブフレームが同じサブフレームである、請求項8に記載の方法。
【請求項１２】
ワイヤレス通信のための装置であって、前記装置が、
時分割複信(TDD)キャリアを利用して下位エンティティによってアップリンク確認応答(ACK)送信が送信されるための構成可能な遅延を決定するための手段であって、前記TDDキャリアは、複数のサブフレームを備え、前記構成可能な遅延は、前記アップリンクACKを送信する前に、前記下位エンティティがダウンリンクデータパケットを処理するために利用可能な所定の時間量に対応する、手段と、
第1のサブフレームの間に制御チャネル送信を利用して、前記構成可能な遅延を前記下位エンティティへ送信するための手段と、
前記第1のサブフレームの間に前記ダウンリンクデータパケットを前記下位エンティティへ送信するための手段と、
前記構成可能な遅延に従って第2のサブフレームの間に前記下位エンティティから前記アップリンクACKを受信するための手段と
を備える、装置。
【請求項１３】
ワイヤレス通信のための装置であって、前記装置が、
時分割複信(TDD)キャリアを利用して前記装置によって制御情報送信が送信されるための構成可能な遅延を決定するための手段であって、前記TDDキャリアは、複数のサブフレームを備え、前記構成可能な遅延は、第2のサブフレームの中で前記制御情報送信を送信する前に、前記装置が第1のサブフレームのデータパケットを処理するために利用可能な所定の時間量に対応する、手段と、
前記構成可能な遅延に従って前記第2のサブフレームの間に前記制御情報送信を下位エンティティへ送信するための手段と
を備える、装置。
【請求項１４】
ワイヤレス通信のための装置であって、前記装置が、
下位エンティティが時分割複信(TDD)キャリアを利用するためのリソースの許可または割当てを適用するための構成可能な遅延を決定するための手段であって、前記TDDキャリアは、複数のサブフレームを備え、前記構成可能な遅延は、許可済みまたは割当て済みの前記リソースを利用するようにトランシーバを構成する前に、前記下位エンティティが前記許可または割当てを処理するために利用可能な所定の時間量に対応する、手段と、
制御チャネル送信を利用して、前記構成可能な遅延を前記下位エンティティへ送信するための手段と、
第1のサブフレームの間にリソースの前記許可または割当てを前記下位エンティティへ送信するための手段と、
前記構成可能な遅延に従って第2のサブフレームの間に許可済みまたは割当て済みの前記リソースを利用して前記下位エンティティと通信するための手段と
を備える、装置。
【請求項１５】
実行されるとコンピュータに請求項1から4または5から7または8から11のいずれか一項に記載の方法を行わせる命令を記憶する、コンピュータ可読記憶媒体。